(57)【要約】【課題】  データ通信および携帯電話回線による通話を行う必要がなくなり、宿泊施設が大幅な設備投資を行う必要がなく、どのような種類の携帯電話でもルームキーの代わりとなることが可能なドア開錠方法および装置を提供する。【解決手段】  チェックイン・チェックアウト用着信部９が携帯電話機３から発呼を着信した際に検出した電話番号が電話番号・客室番号対応テーブル１３に記憶保持された電話番号と一致する場合、電話番号をドア４のルームキーとして登録し、携帯電話機３からドア開錠用着信部１０に発呼すると、電話番号に対応するドア４の鍵を開錠し、所定時間が経過後にドア４の鍵を閉錠し、携帯電話機３からチェックイン・チェックアウト用着信部９に発呼をすると、電話番号をドア４のルームキーとしての登録を解除する。【選択図】  図１
2005048534.tif 000002
【特許請求の範囲】
【請求項１】
利用者の部屋利用開始手続きにより該利用者の携帯電話機の電話番号と利用する部屋番号とを対応付けて記憶手段に記憶し、
前記利用者の部屋利用開始手続き完了後における該利用者の携帯電話機からの所定の電話番号に対する発呼があると、該発呼に際して該携帯電話機から送信される該携帯電話機の電話番号を検出し、
該検出した電話番号に対応して前記記憶手段に記憶されている部屋番号に対応する部屋のドアを所定時間開錠状態に制御し、
前記利用者の部屋利用終了手続きにより前記記憶手段に記憶されている該利用者の携帯電話機の電話番号と利用する部屋番号との対応付けを解除する
ことを特徴とするドア開錠方法。
【請求項２】
前記部屋利用開始手続きは、前記利用者の携帯電話機を用いて行われ、
前記部屋利用開始手続きに際して前記所定の電話番号が前記利用者の携帯電話機に通知される
ことを特徴とする請求項１記載のドア開錠方法。
【請求項３】
前記部屋利用終了手続きは、前記利用者の携帯電話機を用いて行われ、
前記部屋利用終了手続きに際して前記部屋の利用に関する料金の清算が行われる
ことを特徴とする請求項１記載のドア開錠方法。
【請求項４】
複数の携帯電話機の電話番号と前記部屋番号とを対応付けて前記記憶手段に記憶する
ことを特徴とする請求項１記載のドア開錠方法。
【請求項５】
利用者の部屋利用開始手続きにより該利用者の携帯電話機の電話番号と利用する部屋番号とを対応付けて記憶する記憶装置と、
前記利用者の部屋利用開始手続き完了後における該利用者の携帯電話機から所定の電話番号に対する発呼に際して該携帯電話機から送信される該携帯電話機の電話番号を検出する検出手段と、
前記検出手段で検出した電話番号に対応して前記記憶手段に記憶されている部屋番号に対応する部屋のドアを所定時間開錠状態に制御する制御手段と、
前記利用者の部屋利用終了手続きにより前記記憶手段に記憶されている該利用者の携帯電話機の電話番号と利用する部屋番号との対応付けを解除する解除手段と
を具備することを特徴とするドア開錠装置。
【請求項６】
前記利用者の携帯電話機を用いた通信により前記部屋利用開始手続きを行う部屋利用開始手続処理手段と、
前記部屋利用開始手続処理手段による部屋利用開始手続きに際して前記利用者の携帯電話機に前記所定の電話番号を通知する通知手段と
を更に具備することを特徴とする請求項５記載のドア開錠装置。
【請求項７】
前記利用者の携帯電話機を用いた通信により前記部屋利用終了手続きを行う部屋利用終了手続処理手段と、
前記部屋利用終了手続処理手段による部屋利用終了手続きに際して、前記部屋の利用に関する料金の清算を行う清算処理手段と
を更に具備することを特徴とする請求項５記載のドア開錠装置。
【請求項８】
前記記憶装置は、
複数の携帯電話機の電話番号と前記部屋番号とを対応付けて記憶する
ことを特徴とする請求項５記載のドア開錠装置。
【発明の詳細な説明】
【技術分野】
【０００１】
本発明は、ドア開錠方法および装置に関し、特に、携帯電話を利用することで、宿泊施設の客室のドアの鍵の開閉を行うドア開錠方法および装置に関する。
【背景技術】
【０００２】
従来の宿泊施設において、宿泊施設に到着した宿泊者がフロント等に出向いてフロント係等と直接応対することで、チェックインの受付が行われ、チェックインの受付が終了すると、宿泊者が利用する部屋のルームキーがフロント係等から宿泊者に手渡される。そして、チェックアウトの受付は、宿泊者がフロント等に出向いてフロント係等にルームキーを手渡し、フロント係等と直接応対することで、チェックアウトの受付が行われる。
【０００３】
従来の宿泊施設では、ルームキーを紛失した際、第三者に部屋番号が知られてしまうという問題、また、複数人で部屋を利用する際、ルームキーを保持している者が外出してしまうと、その他の者が部屋に入ることができなくなるので、待ち合わせ等しなければならないという問題、また、チェックインおよびチェックアウトの受付が煩雑であるという問題、また、宿泊施設から外出する際にはルームキーをフロントに預け、宿泊施設に戻ってきた際にはフロントでルームキーを受け取るようなことが煩雑であるという問題がある。
【０００４】
近年、インターネット等のネットワークの普及により、宿泊施設の予約等がネットワークを介してＰＣ（Personal Computer）若しくは携帯端末等で行えるようになり、更に、携帯端末等を利用することで、チェックインおよびチェックアウトの受付、宿泊施設の客室のドアの鍵の開錠を行えるようになってきている。
【０００５】
例えば、宿泊者が携帯電話から自己認識情報をホテルのフロントに送信し、フロントはその自己認識情報を信用紹介した後、暗証番号を宿泊者の携帯電話に送信し、宿泊者はフロントに訪れなくてもその暗証番号をフロントに送信することで、チェックインおよびチェックアウトの受付が行われるとともに、その携帯電話がルームキーの代わりとなるホテル宿泊手続システムがある（例えば、特許文献１参照。）。
【特許文献１】特開２００２−３１２５０２号公報
【発明の開示】
【発明が解決しようとする課題】
【０００６】
しかし、上記特許文献１に記載された構成は、チェックインおよびチェックアウトの受付時に携帯電話から暗証番号をフロントに送信するためにデータ通信を行う必要があるので、宿泊者に通信費用を負担させてしまい、また、フリーダイヤル等で宿泊施設が通信費用を負担したとしても、宿泊施設の通信費用が増大してしまい、更に、近距離通信の機能が搭載されていない携帯電話はルームキーの代わりにはできないために限られた携帯電話でしかこのシステムを利用することができず、更に、全客室のドアに近距離通信用のアンテナを設けなければならないために宿泊施設の設備投資費が増大してしまう。
【０００７】
そこで、本発明は、携帯電話を利用しても、データ通信および携帯電話回線による通話を行う必要がなくなるとともに、宿泊施設が大幅な設備投資を行う必要がなく、どのような種類の携帯電話でもルームキーの代わりとなることが可能なドア開錠方法および装置を提供することを目的とする。
【課題を解決するための手段】
【０００８】
上記目的を達成するため、請求項１の発明は、利用者の部屋利用開始手続きにより該利用者の携帯電話機の電話番号と利用する部屋番号とを対応付けて記憶手段に記憶し、前記利用者の部屋利用開始手続き完了後における該利用者の携帯電話機からの所定の電話番号に対する発呼があると、該発呼に際して該携帯電話機から送信される該携帯電話機の電話番号を検出し、該検出した電話番号に対応して前記記憶手段に記憶されている部屋番号に対応する部屋のドアを所定時間開錠状態に制御し、前記利用者の部屋利用終了手続きにより前記記憶手段に記憶されている該利用者の携帯電話機の電話番号と利用する部屋番号との対応付けを解除することを特徴とする。
【０００９】
また、請求項２の発明は、請求項１の発明において、前記部屋利用開始手続きは、前記利用者の携帯電話機を用いて行われ、前記部屋利用開始手続きに際して前記所定の電話番号が前記利用者の携帯電話機に通知されることを特徴とする。
【００１０】
また、請求項３の発明は、請求項１の発明において、前記部屋利用終了手続きは、前記利用者の携帯電話機を用いて行われ、前記部屋利用終了手続きに際して前記部屋の利用に関する料金の清算が行われることを特徴とする。
【００１１】
また、請求項４の発明は、請求項１の発明において、複数の携帯電話機の電話番号と前記部屋番号とを対応付けて前記記憶手段に記憶することを特徴とする。
【００１２】
また、請求項５の発明は、利用者の部屋利用開始手続きにより該利用者の携帯電話機の電話番号と利用する部屋番号とを対応付けて記憶する記憶装置と、前記利用者の部屋利用開始手続き完了後における該利用者の携帯電話機から所定の電話番号に対する発呼に際して該携帯電話機から送信される該携帯電話機の電話番号を検出する検出手段と、前記検出手段で検出した電話番号に対応して前記記憶手段に記憶されている部屋番号に対応する部屋のドアを所定時間開錠状態に制御する制御手段と、前記利用者の部屋利用終了手続きにより前記記憶手段に記憶されている該利用者の携帯電話機の電話番号と利用する部屋番号との対応付けを解除する解除手段とを具備することを特徴とする。
【００１３】
なお、記憶装置は図１に示す電話番号・客室番号対応テーブル１３に対応し、検出手段は図１に示す着信電話番号検出部１１に対応し、制御手段は図１に示すドア開閉制御部１６に対応し、解除手段は図１に示す電話番号・客室番号対応テーブル制御部１４に対応する。
【００１４】
また、請求項６の発明は、請求項５の発明において、前記利用者の携帯電話機を用いた通信により前記部屋利用開始手続きを行う部屋利用開始手続処理手段と、前記部屋利用開始手続処理手段による部屋利用開始手続きに際して前記利用者の携帯電話機に前記所定の電話番号を通知する通知手段とを更に具備することを特徴とする。
【００１５】
なお、部屋利用開始手続処理手段は図１に示すチェックイン・チェックアウト受付処理部１２に対応し、通知手段は図１に示すドア開錠用電話番号通知部１５に対応する。
【００１６】
また、請求項７の発明は、請求項５の発明において、前記利用者の携帯電話機を用いた通信により前記部屋利用終了手続きを行う部屋利用終了手続処理手段と、前記部屋利用終了手続処理手段による部屋利用終了手続きに際して、前記部屋の利用に関する料金の清算を行う清算処理手段とを更に具備することを特徴とする。
【００１７】
なお、部屋利用終了手続処理手段は図１に示すチェックイン・チェックアウト受付処理部１２に対応し、清算処理手段は図１に示す清算処理部１７に対応する。
【００１８】
また、請求項８の発明は、請求項５の発明において、前記記憶装置は、複数の携帯電話機の電話番号と前記部屋番号とを対応付けて記憶することを特徴とする。
【発明の効果】
【００１９】
本発明によれば、利用者がドア開錠装置に発呼するだけで、チェックインの受付、チェックアウトの受付および客室のドアの開錠を行うことができるので、従来の宿泊施設における、ルームキー紛失時の問題、複数の利用者が１つの客室を利用する時の問題、フロント等のルームキーのやり取りの問題等を解決することを可能にし、更に、ドア開錠装置が携帯電話からの発呼により通知される電話番号に基づき、チェックインの受付、チェックアウトの受付およびドアの開錠を行うことができるので、データ通信および携帯電話回線による通話を行う必要がなくなるとともに、宿泊施設が大幅な設備投資を行う必要がなくなることを可能にするという効果を奏する。
【発明を実施するための最良の形態】
【００２０】
以下、本発明に係わるドア開錠方法および装置の実施の形態について添付図面を参照して詳細に説明する。
【００２１】
図１は、本発明に係わるドア開錠装置１を採用した宿泊施設のルームキーシステムの構成の一例を示すブロック図である。
【００２２】
図１に示すように、宿泊施設のルームキーシステムは、宿泊施設を利用する利用者２が所有する携帯電話機３、ドア開錠装置１、宿泊施設の各客室のドア４から構成されている。なお、携帯電話機３は発呼した際に、携帯電話機３の電話番号が発呼した受信側に通知される発信者番号通知機能を有している。
【００２３】
ここで、ドア開錠装置１の機能的な構成について詳細に説明する。
【００２４】
図１に示すように、ドア開錠装置１は、主制御部５、第１のアンテナ６、第２のアンテナ７、第３のアンテナ８、チェックイン・チェックアウト用着信部９、ドア開錠用着信部１０、着信電話番号検出部１１、チェックイン・チェックアウト受付処理部１２、電話番号・客室番号対応テーブル１３、電話番号・客室番号対応テーブル制御部１４、ドア開錠用電話番号通知部１５、ドア開閉制御部１６、清算処理部１７から構成されている。
【００２５】
主制御部５は、ドア開錠装置１全体の制御を行う。
【００２６】
第１のアンテナ６は、携帯電話機３からのチェックイン・チェックアウト用着信部９への発呼を受信するアンテナである。
【００２７】
第２のアンテナ７は、携帯電話機３からのドア開錠用着信部１０への発呼を受信するアンテナである。
【００２８】
なお、図１に示すように、チェックイン・チェックアウト用着信部９およびドア開錠用着信部１０に対してそれぞれ専用のアンテナを設ける構成に限定する必要はなく、１つのアンテナのみで携帯電話機３から発呼を受信する構成でも適用可能である。
【００２９】
第３のアンテナ８は、ドア開錠用電話番号通知部１５からの発呼を携帯電話機３へ送信するアンテナである。
【００３０】
チェックイン・チェックアウト用着信部９は、第１のアンテナ６を介して携帯電話機３からの発呼を着信する。
【００３１】
ドア開錠用着信部１０は、第２のアンテナ７を介して携帯電話機３からの発呼を着信する。
【００３２】
着信電話番号検出部１１は、チェックイン・チェックアウト用着信部９若しくはドア開錠用着信部１０に着信した携帯電話機３からの発呼から、発信者番号通知機能により通知された携帯電話機３の電話番号を検出する。
【００３３】
チェックイン・チェックアウト受付処理部１２は、着信電話番号検出部１１で検出した電話番号に基づいて利用者２のチェックインおよびチェックアウトの受付を処理する。
【００３４】
電話番号・客室番号対応テーブル１３は、利用者２が所有する携帯電話機３の電話番号と利用者２が利用する客室の客室番号とを対応付けて記憶保持する。
【００３５】
電話番号・客室番号対応テーブル制御部１４は、電話番号・客室番号対応テーブル１３における、携帯電話機３の電話番号の記憶保持および削除を制御するとともに、着信電話番号検出部１１が検出した電話番号が電話番号・客室番号対応テーブル１３に記憶保持されている電話番号と一致するか否かの確認を行う。
【００３６】
ドア開錠用電話番号通知部１５は、第３のアンテナ８を介して携帯電話機３に発呼することで、ドア開錠用の電話番号（ドア開錠用着信部１０に発呼するための電話番号）を通知する。なお、携帯電話機３へ発呼することで、発信者番号通知機能によりドア開錠用の電話番号を通知する構成を適用しても良いし、データ通信によりドア開錠用の電話番号を通知する構成を適用しても良い。
【００３７】
ドア開閉制御部１６は、ネットワーク１８を介して宿泊施設の全ての客室のドア４と接続し、ドア開錠用着信部１０が着信した携帯電話機３の電話番号と電話番号・客室番号対応テーブル１３とに基づいて指定された客室のドア４の鍵の開閉制御を行う。
【００３８】
清算処理部１７は、チェックイン・チェックアウト受付処理部１２によるチェックアウトの受付時に、利用者２に対する宿泊施設の利用料金等の料金清算の処理を行う。なお、料金清算として、利用者２の携帯電話機３の通話料に対して課金する構成、若しくは利用者２の携帯電話機３に搭載されたクレジット機能に対して課金する構成も適用可能である。
【００３９】
次に、利用者２の携帯電話機３からチェックイン受付のための発呼を着信した際に、ドア開錠装置１が行う機能的な動作について説明する。
【００４０】
まず、宿泊施設を利用する利用者２は事前に宿泊施設に対して宿泊の予約を行い、宿泊施設の従業員はチェックイン・チェックアウト受付用の電話番号（チェックイン・チェックアウト用着信部９の電話番号）を利用者２に伝え、その際に利用者２は所有する携帯電話機３の電話番号を宿泊施設の従業員に伝え、宿泊施設の従業員は伝えられた電話番号を利用者２が利用する予定の客室番号に対応付けて電話番号・客室番号対応テーブル１３に予め記憶保持する。
【００４１】
そして、利用者２が宿泊施設を利用する日、利用者２は宿泊施設に到着すると、携帯電話機３からチェックイン・チェックアウト受付用の電話番号に対して発呼する。
【００４２】
携帯電話機３からの発呼が第１のアンテナ６を介してチェックイン・チェックアウト用着信部９に着信すると、着信電話番号検出部１１はチェックイン・チェックアウト用着信部９に着信した発呼から、発信者番号通知機能により通知された電話番号を検出し、電話番号・客室番号対応テーブル制御部１４は着信番号検出部１１が検出した電話番号が、予約時に予め電話番号・客室番号対応テーブル１３に記憶保持された電話番号と一致するか否か確認する。両者が一致する場合、携帯電話機３の電話番号を利用者２が利用する客室のドア４のルームキーとして登録し、電話番号と客室の客室番号とを対応付けて電話番号・客室番号対応テーブル１３に記憶保持し、チェックイン・チェックアウト受付処理部１２はチェックインの受付を行う。
【００４３】
チェックインの受付が終了すると、ドア開錠用電話番号通知部１５は第３のアンテナ９を介してドア開錠用の電話番号を携帯電話機３に通知する。
【００４４】
図２は、ドア開錠用電話番号通知部１５からドア開錠用の電話番号が通知された際の携帯電話機３のディスプレイ１９の一例を示す図である。
【００４５】
図２に示すように、ディスプレイ１９にはチェックインの受付を完了した宿泊施設「○○ホテル」から通知されたドア開錠用の電話番号「０３１２３４５６７８」が表示されている。そして、利用者は通知されたドア開錠用の電話番号を携帯電話機３に記憶保持し、利用する客室のドアを開錠する際に、携帯電話機３に記憶保持したドア開錠用の電話番号に対して発呼すれば良い。
【００４６】
次に、利用者２の携帯電話機３からドア開錠のための発呼を着信した際に、ドア開錠装置１が行う機能的な動作について説明する。
【００４７】
まず、利用者２は上記で説明した携帯電話機３によるチェックイン受付を完了し、利用者２の携帯電話機３にはドア開錠用の電話番号が通知されている。利用者２は利用する客室に到着すると、携帯電話機３からドア開錠用の電話番号（ドア開錠用着信部１０に発呼するための電話番号）に対して発呼する。
【００４８】
携帯電話機３からの発呼が第２のアンテナ７を介してドア開錠用着信部１０に着信すると、着信電話番号検出部１１はドア開錠用着信部１０に着信した発呼から、発信者番号通知により通知された電話番号を検出し、電話番号・客室番号対応テーブル制御部１４は着信番号検出部１１が検出した電話番号がチェックイン受付時に記憶保持された電話番号と一致するか否か確認する。両者が一致する場合、ドア開閉制御部１６は携帯電話機３の電話番号に対応する客室番号のドア４の鍵を開錠し、開錠してから所定の時間が経過すると、ドア開閉制御部１６は開錠したドア４の鍵を閉錠する。
【００４９】
次に、利用者２の携帯電話機３からチェックアウト受付のための発呼を着信した際に、ドア開錠装置１が行う機能的な動作について説明する。
【００５０】
利用者２は宿泊施設をチェックアウトする際に携帯電話機３からチェックイン・チェックアウト受付用の電話番号に対して発呼する。
【００５１】
携帯電話機３からの発呼が第１のアンテナ６を介してチェックイン・チェックアウト用着信部９に着信すると、着信電話番号検出部１１はチェックイン・チェックアウト用着信部９に着信した発呼から、発信者番号通知により通知された電話番号を検出し、電話番号・客室番号対応テーブル制御部１４は着信番号検出部１１が検出した電話番号がチェックイン受付時に記憶保持された電話番号と一致するか否か確認する。両者が一致する場合、携帯電話機３の電話番号を利用者２が利用する客室のドア４のルームキーとしての登録を解除し、電話番号・客室番号対応テーブル１３から電話番号を削除し、チェックイン・チェックアウト受付処理部１２はチェックアウトの受付を行い、清算処理部１７は利用者２に対する宿泊施設の利用料等の料金清算の処理を行う。
【００５２】
次に、電話番号・客室番号対応テーブル１３について詳細に説明する。
【００５３】
図３は、電話番号・客室番号対応テーブル１３の一例を示す図である。
【００５４】
図３に示すように、電話番号・客室番号対応テーブル１３には、宿泊施設の全ての「客室番号」に対応する「予約電話番号」および「登録電話番号」が登録され、「登録電話番号」による「チェックイン完了」および「チェックアウト完了」が登録され、更に電話番号・客室番号対応テーブルにより「ドア」の開閉状態を確認することができる。
【００５５】
例えば、図３に示すように、○○月××日の客室番号「１０１」を予約した利用者が所有する携帯電話機の電話番号「０９０−１２３４−５６７８」が予約電話番号として登録され、客室番号「１０１」のチェックインの受付は完了し、電話番号「０９０−１２３４−５６７８」がルームキーとして登録されている。また、○○月××日の客室番号「１０２」を予約した利用者が所有する携帯電話機の電話番号「０９０−０９８７−６５４３」が予約電話番号として登録され、客室番号「１０２」のチェックインの受付は完了し、電話番号「０９０−０９８７−６５４３」がルームキーとして登録されている。また、○○月××日の客室番号「１０３」を予約した利用者が所有する携帯電話機の電話番号「０９０−１４７０−２５８０」が予約電話番号として登録され、客室番号「１０３」のチェックインの受付は完了していないため、電話番号「０９０−１４７０−２５８０」がルームキーとして登録されていない。
【００５６】
例えば、図３に示すように、○○月××日の客室番号「１０４」は、複数の電話番号（「０９０−１５７−２４６８」、「０９０−９７５３−０８６４」および「０９０−１１１１−２２２２」）がルームキーとして登録されている。このように、複数の電話番号をルームキーとして登録することで、１つの客室を複数の利用者が利用する場合でも、各利用者は客室の出入りを自由に行うことができる。
【００５７】
次に、ドア開錠装置１が行うチェックイン受付の処理手順について図４に示すフローチャートを参照して説明する。
【００５８】
携帯電話がドア開錠装置に対して発呼し（ステップＳ４０１）、着信すると（ステップＳ４０２でＹＥＳ）、着信した発呼から着信電話番号を検出する（ステップＳ４０３）。
【００５９】
着信電話番号を検出した場合（ステップＳ４０３でＹＥＳ）、検出した電話番号に基づいて予約の有無を確認する（ステップＳ４０４）。
【００６０】
予約が成されていることを確認した場合（ステップＳ４０５でＹＥＳ）、電話番号と予約している客室番号とを対応付けて登録することで、その電話番号をキー登録し（ステップＳ４０６）、チェックイン受付を行い（ステップＳ４０７）、ドア解錠用の電話番号を携帯電話機に通知し（ステップＳ４０８）、処理手順を終了する。
【００６１】
なお、ステップＳ４０３において、利用者の携帯電話機の発信者番号通知機能がＯＦＦになっている等により、着信電話番号を検出しなかった場合（ステップＳ４０３でＮＯ）、これ以上チェックインの受付を続けることはできないため、処理手順を終了する。
【００６２】
また、ステップＳ４０５において、予約が成されていないことを確認した場合（ステップＳ４０５でＮＯ）、これ以上チェックインの受付を続けることはできないため、処理手順を終了する。
【００６３】
次に、ドア開錠装置１が行う客室のドア４の開閉制御の処理手順について図５に示すフローチャートを参照して説明する。
【００６４】
携帯電話がドア開錠装置に対して発呼し（ステップＳ５０１）、着信すると（ステップＳ５０２でＹＥＳ）、着信した発呼から着信電話番号を検出する（ステップＳ５０３）。
【００６５】
着信電話番号を検出した場合（ステップＳ５０３でＹＥＳ）、検出した電話番号に基づいてキー登録の有無を確認する（ステップＳ５０４）。
【００６６】
キー登録が成されていることを確認した場合（ステップＳ５０５でＹＥＳ）、電話番号に対応付けられている客室番号のドアを開錠し（ステップＳ５０６）、所定の時間が経過すると（ステップＳ５０７でＹＥＳ）、開錠したドアを閉錠し（ステップＳ５０８）、処理手順を終了する。
【００６７】
なお、ステップＳ５０３において、利用者の携帯電話機の発信者番号通知機能がＯＦＦになっている等により、着信電話番号を検出しなかった場合（ステップＳ５０３でＮＯ）、ドアの開錠はできないため、処理手順を終了する。
【００６８】
また、ステップＳ５０５において、キー登録が成されていないことを確認した場合（ステップＳ５０５でＮＯ）、ドアの開錠はできないため、処理手順を終了する。
【００６９】
次に、ドア開錠装置１が行うチェックアウト受付の処理手順について図６に示すフローチャートを参照して説明する。
【００７０】
携帯電話がドア開錠装置に対して発呼し（ステップＳ６０１）、着信すると（ステップＳ６０２でＹＥＳ）、着信した発呼から着信電話番号を検出する（ステップＳ６０３）。
【００７１】
着信電話番号を検出した場合（ステップＳ６０３でＹＥＳ）、検出した電話番号に基づいてキー登録の有無を確認する（ステップＳ６０４）。
【００７２】
キー登録が成されていることを確認した場合（ステップＳ６０５でＹＥＳ）、対応付けて登録されている電話番号と客室番号とを解除することで、その電話番号のキー登録を解除し（ステップＳ６０６）、チェックアウト受付を行い（ステップＳ６０７）、宿泊施設の利用料金等を清算し（ステップＳ６０８）、処理手順を終了する。
【００７３】
なお、ステップＳ６０３において、利用者の携帯電話機の発信者番号通知機能がＯＦＦになっている等により、着信電話番号を検出しなかった場合（ステップＳ６０３でＮＯ）、これ以上チェックアウトの受付を続けることはできないため、処理手順を終了する。
【００７４】
また、ステップＳ６０５において、キー登録が成されていないことを確認した場合（ステップＳ６０５でＮＯ）、これ以上チェックアウトの受付を続けることはできないため、処理手順を終了する。
【図面の簡単な説明】
【００７５】
【図１】本発明に係わるドア開錠装置１を採用した宿泊施設のルームキーシステムの構成の一例を示すブロック図である。
【図２】ドア開錠用電話番号通知部１５からドア開錠用の電話番号が通知された際の携帯電話機３のディスプレイ１９の一例を示す図である。
【図３】電話番号・客室番号対応テーブル１３の一例を示す図である。
【図４】ドア開錠装置１が行うチェックイン受付の処理手順を示すフローチャートである。
【図５】ドア開錠装置１が行う客室のドア４の開閉制御の処理手順を示すフローチャートである。
【図６】ドア開錠装置１が行うチェックアウト受付の処理手順を示すフローチャートである。
【符号の説明】
【００７６】
１    ドア開錠装置
２    利用者
３    携帯電話機
４    ドア
５    主制御部
６    第１のアンテナ
７    第２のアンテナ
８    第３のアンテナ
９    チェックイン・チェックアウト用着信部
１０    ドア開錠用着信部
１１    着信電話番号検出部
１２    チェックイン・チェックアウト受付処理部
１３    電話番号・客室番号対応テーブル
１４    電話番号・客室番号対応テーブル制御部
１５    ドア開錠用電話番号通知部
１６    ドア開閉制御部
１７    清算処理部
１８    ネットワーク
１９    ディスプレイ
【図１】
2005048534.tif 000003
【図２】
2005048534.tif 000004
【図３】
2005048534.tif 000005
【図４】
2005048534.tif 000006
【図５】
2005048534.tif 000007
【図６】
2005048534.tif 000008